(57)【要約】【課題】河川・砂防情報システムで使用する携帯端末を、より効率的に利用できるようにする。【解決手段】ＧＰＳ機能を有する携帯端末と、河川の水位を計測する水位計と、陸地の雨量を計測する雨量計と、その計測結果を収集し、収集した計測結果と観測地域の地図情報とを記憶し、携帯端末の要求に応じて、収集した計測結果である水位または雨量についての情報、または地図情報のいずれかを携帯端末に提供するサーバと、携帯端末とサーバとを接続するネットワークと、から構成される。携帯端末は、ユーザによる指定に対応した情報を表示するため、ＧＰＳ機能により取得した現在位置情報とユーザによる指定に対応した情報を要求するコマンドとをサーバに送信し、サーバは、コマンドに応答して、携帯端末から受信した現在位置情報とコマンドに対応した水位または雨量についての情報または地図情報のいずれかを携帯端末に送信する。【選択図】図５
2014203126.tif 000002
【特許請求の範囲】
【請求項１】
ＧＰＳ機能を有する携帯端末と、
河川の所定位置における水位を計測する複数の水位計と、
陸地の所定位置における雨量を計測する複数の雨量計と、
前記複数の水位計および雨量計で計測された計測結果を収集し、収集した計測結果と、観測地域の地図情報とを記憶し、前記携帯端末の要求に応じて、収集した計測結果である水位または雨量についての情報、または前記地図情報のいずれかを前記携帯端末に提供するサーバと、
前記携帯端末と前記サーバとを接続するネットワークと、から構成され、
前記携帯端末は、ユーザによる指定に対応した情報を表示するため、前記ＧＰＳ機能により取得した現在位置情報と前記ユーザによる指定に対応した情報を要求するコマンドとを前記サーバに送信し、
前記サーバは、前記コマンドに応答して、前記携帯端末から受信した前記現在位置情報と前記コマンドに対応した前記水位または雨量についての情報または前記地図情報のいずれかを前記携帯端末に送信する、
河川・砂防情報システム。
【請求項２】
前記携帯端末は、
情報の表示およびユーザによる操作入力の受付けを行う表示・操作部を有し、
前記表示・操作部上のユーザによる操作入力の受付けを行う領域に対するドラッグの方向に応じて、その表示位置を移動させ、その表示態様を変更する、
請求項１に記載の河川・砂防情報システム。
【請求項３】
前記携帯端末は、加速度を検出する機能を有し、該加速度を検出する機能により検出された加速度が所定のレベル以上の場合、前記表示・操作部上のユーザによる操作入力の受付けを行う領域の表示および非表示を切り替える、請求項２に記載の河川・砂防情報システム。
【請求項４】
前記携帯端末は、その傾きを検出する機能を有し、
その傾きの方向に応じて、前記表示・操作部に表示するデータの頁を切り替える、請求項２または請求項３に記載の河川・砂防情報システム。
【請求項５】
前記携帯端末は、その傾きを検出する機能を有し、
前記携帯端末が、鉛直方向に対し、縦長となる傾きの場合は縦長表示用のデータを前記表示・操作部に表示し、横長となる傾きの場合は横長表示用のデータを前記表示・操作部に表示する、請求項２または請求項３に記載の河川・砂防情報システム。
【発明の詳細な説明】
【技術分野】
【０００１】
本発明の実施形態は、河川・砂防情報システムに関する。
【背景技術】
【０００２】
近年、スマートフォンやタブレット端末等の携帯端末の普及により、河川・砂防情報システムにおいても、これまでのＰＣ向け・携帯電話向けの情報提供画面（Ｗｅｂ画面）に加え、携帯端末向けの情報提供画面やサービスを提供するようになってきている。
【先行技術文献】
【特許文献】
【０００３】
【特許文献１】特開２００２−３６７０６５号公報
【発明の概要】
【発明が解決しようとする課題】
【０００４】
しかしながら、現在の河川・砂防情報システムにおける携帯端末向けの情報提供画面は、従来のＷｅｂ画面をベースにしており、各種センサを搭載したスマートフォン等の携帯端末の機能を有効に利用した情報提供画面は見うけられず、河川・砂防情報システムにおける携帯端末側での利便性が向上できていない。
【０００５】
本発明が解決しようとする課題は、河川・砂防情報システムで使用する携帯端末（スマートフォンやタブレット端末）を、より効率的に利用できるようにする河川・砂防情報システムを提供することである。
【課題を解決するための手段】
【０００６】
実施形態の河川・砂防情報システムは、ＧＰＳ機能を有する携帯端末と、河川の所定位置における水位を計測する複数の水位計と、陸地の所定位置における雨量を計測する複数の雨量計と、複数の水位計および雨量計で計測された計測結果を収集し、収集した計測結果と、観測地域の地図情報とを記憶し、携帯端末の要求に応じて、収集した計測結果である水位または雨量についての情報、または地図情報のいずれかを携帯端末に提供するサーバと、携帯端末とサーバとを接続するネットワークと、から構成される。携帯端末は、ユーザによる指定に対応した情報を表示するため、ＧＰＳ機能により取得した現在位置情報とユーザによる指定に対応した情報を要求するコマンドとをサーバに送信し、サーバは、コマンドに応答して、携帯端末から受信した現在位置情報とコマンドに対応した水位または雨量についての情報または地図情報のいずれかを携帯端末に送信する。
【図面の簡単な説明】
【０００７】
【図１】図１は、一実施形態の河川・砂防情報システムの全体構成を例示した図である。
【図２】図２は、同実施形態における携帯端末の概略構成を示すブロック図である。
【図３】図３は、同実施形態における携帯端末の情報提供画面の一例を示す図である。
【図４】図４は、同実施形態におけるサーバに備わる観測地点一覧の情報テーブルの一例を示す図である。
【図５】図５は、同実施形態における携帯端末およびサーバ間の動作（動作例１）を説明するシーケンス図である。
【図６−１】図６−１は、同実施形態における携帯端末での画面遷移例（動作例１）を示す図である。
【図６−２】図６−２は、同実施形態における携帯端末での画面遷移例（動作例１）を示す図である。
【図７】図７は、同実施形態における携帯端末の動作（動作例２）を説明する図である。
【図８】図８は、同実施形態における携帯端末の動作（動作例３）を説明する図である。
【図９−１】図９−１は、同実施形態における携帯端末の動作（動作例４）を説明する図である。
【図９−２】図９−２は、同実施形態における携帯端末の動作（動作例４）を説明する図である。
【図１０−１】図１０−１は、同実施形態における携帯端末の動作（動作例５）を説明する図である。
【図１０−２】図１０−２は、同実施形態における携帯端末の動作（動作例５）を説明する図である。
【発明を実施するための形態】
【０００８】
以下に、実施形態について図面を参照して説明する。図１は、一実施形態の河川・砂防情報システムの全体構成を例示した図である。
【０００９】
河川・砂防情報システムとは、河川の氾濫や土砂災害の危険をいち早く把握するために、各地に設置された降雨や河川水位を計測する雨量計および水位計からの観測データを定期的に観測し、地域住民や関連機関への情報提供（避難勧告等）を行うことを目的とした情報提供システム（防災情報システム）である。
【００１０】
図１に示す河川・砂防情報システム１０は、雨量計１１（１１−１〜１１−５）の出力した雨量データあるいは水位計１２（１２−１、１２−２）からの水位データを収集するデータ収集装置１３（１３−１〜１３−３）と、このデータ収集装置１３と通信ネットワーク１４を介して接続され、データ収集装置１３が収集した雨量データおよび水位データ等を、通信ネットワーク１４、ゲートウェイ１８、携帯電話網１９および基地局２０（２０−１〜２０−２）を介して、携帯端末１５（１５−１〜１５−３）に提供するサーバ１６と、を備えている。サーバ１６は、データセンタ１７に設置される。なお、通信ネットワーク１４にはインターネットなどのネットワークが含まれる。また、本実施形態において、携帯端末１５とは、各種センサ（地磁気センサや加速度センサ等）やＧＰＳ機能を搭載したスマートフォンやタブレット端末を指すものとする。
【００１１】
携帯端末１５は、情報提供画面を表示することにより、ユーザに当該河川・砂防情報システム１０が提供する情報を提示するための装置である。以下では、スマートフォン等の携帯端末１５に一般的に備わるセンサ機能、およびＧＰＳ機能を利用する新しいユーザ・インターフェイスについて提案する。
【００１２】
図２は、携帯端末１５の概略構成を示すブロック図である。図２に示すように、携帯端末１５は、制御部１５１と、記憶部１５２と、表示・操作部１５３と、無線通信部１５４と、音声入出力部１５５と、センサ部１５６と、ＧＰＳ部１５７とを備える。
【００１３】
制御部１５１は、ＣＰＵ（Central  Processing  Unit）およびメモリを備える制御装置であり、記憶部１５２に記憶されたプログラムを、主記憶装置となるメモリにロードし実行することにより、携帯端末１５の各部を制御する。例えば、制御部１５１は、表示・操作部１５３に対する表示制御や、操作入力の受付けを行い、また、無線通信部１５４を介した無線通信にかかる制御などを行う。記憶部１５２は、ＥＥＰＲＯＭ（Electrically  Erasable  and  Programmable  ROM）等からなり、制御部１５１により実行されるプログラムや、サーバ１６から提供されるデータ等を記憶する。
【００１４】
表示・操作部１５３は、ユーザ・インタフェースとなる部分であり、ＬＣＤとその駆動回路からなる表示装置とその表面に設けられたタッチパネルからなる入力装置を備え、ユーザによるタッチパネルの操作を受け付けて、その操作に応じた操作信号を制御部１５１に出力する。また、表示・操作部１５３は、制御部１５１からの表示制御信号に従って、サーバ１６から提供される情報を情報提供画面に表示する。なお、この情報提供画面は一種のアプリ（スマートフォンアプリ等）で実現され、画面には、ユーザによる操作入力を受付ける操作部１５３Ａと、サーバ１６から提供される情報を提示するデータ表示エリア１５３Ｂとが表示される（図３）。そして、制御部１５１とこのアプリとの協働により、ユーザ操作に応じて、画面表示を変えたり、必要な情報をサーバ１６に要求したりする。
【００１５】
無線通信部１５４は、無線通信回路やアンテナを備え、無線通信により携帯電話網１９に接続し、さらにゲートウェイ１８および通信ネットワーク１４を介してサーバ１６に接続するためのインタフェースである。音声入出力部１５５は、マイクロホンやスピーカを備え、携帯端末１５における音声の入出力に関する機能を実現する。センサ部１５６は、地磁気センサ、加速度センサ等を備え、携帯端末１５本体の向き・傾き・加速度を検出し、検出結果を制御部１５１に出力する。ＧＰＳ部１５７は、ＧＰＳ（Global  Positioning  System）により得られる現在位置情報を制御部１５１に出力する。
【００１６】
上記構成の携帯端末１５は、そのユーザ・インタフェースとして、ＧＰＳ機能を用い、現在地に最も近い観測地点のデータを、その情報提供画面の初期表示で表示するようにする。その情報提供画面を提供するために、サーバ１６には、図４に一例を示す観測地点一覧の情報テーブルを備える。このテーブルには、観測地点毎に、設置場所の情報として緯度・経度および住所（この住所は、情報提供画面にてその住所を表示する場合に利用される）が登録され、画面表示情報として表示地域および表示頁と、対応する地図情報（ＧＩＳ（Geographic  Information  System：地理情報システム）やその他の地図画像や、地図の模式図）、表、グラフの格納場所の情報（Ａａ１，Ａａ２，Ａａ３，…）とが登録されている。観測地点一覧の情報テーブルや上記地図情報、表、グラフのデータはサーバ１６の記憶装置（図示せず）に格納される。
【００１７】
続いて、以上のように構成される河川・砂防情報システム１０における、携帯端末１５とサーバ１６の動作について説明する。まず、ＧＰＳ機能を利用した動作例１を、図５、図６−１〜図６−２を用いて説明する。
【００１８】
（動作例１）
携帯端末１５では、初期画面としてメニュー画面が表示される。図６−１（Ａ）または図６−２（Ａ）に例示したメニュー画面では、雨量情報についての地図／表／グラフを選択するボタンと、水位情報についての地図／表／グラフを選択するボタンが表示されている。ユーザは必要とする情報を指定するため、はじめに、このメニュー画面からいずれかのボタンをクリックするなどして情報の種類を選択する（ステップＳ１０１）。この選択がされると携帯端末１５の制御部１５１は、ＧＰＳ部１５７から現在地の情報（現在位置情報：緯度・経度）を取得し（ステップＳ１０２）、取得した現在位置情報と、ユーザにより選択された情報を要求するコマンドとを、無線通信部１５４を介してサーバ１６に送信する。
【００１９】
サーバ１６は、携帯端末１５から取得した現在位置情報を基に観測地点一覧の情報テーブルの各観測地点の緯度・経度を検索し、現在位置情報の緯度・経度に一番近い観測地点を選択する（ステップＳ１０３）。
【００２０】
次いで、サーバ１６は、選択された観測地点の画面表示情報から表示地域、表示頁を決定し（ステップＳ１０４）、携帯端末１５からの上記コマンドに応じた携帯端末１５の情報提供画面における表示情報として初期表示用のデータを抽出して、携帯端末１５に送信する。
【００２１】
携帯端末１５は、サーバ１６から受信した表示情報を含む情報提供画面を表示・操作部１５３に表示する（ステップＳ１０５）。例えば、携帯端末１５を使用しているユーザがいる現在地に最も近い観測地点がａ地点であるとき、メニュー画面にて、雨量情報または水位情報について、地図が選択されると、図６−１（Ｂ）に示すようにＡ地域の地図が表示され、表が選択されると図６−２（Ｂ）に示すようにＡ地域のａ地点のデータを含む表が表示される。この後、Ａ地域の地図が表示されている状態で、ユーザが操作部１５３Ａを用いてＢ地域を選択する操作をすると、制御部１５１は、無線通信部１５４を介してＢ地域の地図情報をサーバ１６に要求して取得し、その地図を表示する（図６−１（Ｃ））。一方、Ａ地域のａ地点のデータを含む表（１頁目）が表示されている状態で（図６−２（Ｂ））、ユーザが操作部１５３Ａを用いて同Ａ地域のｄ地点のデータを含む２頁目を選択すると、制御部１５１は、無線通信部１５４を介してその頁をサーバ１６に要求して取得し、その表を表示する（図６−２（Ｃ））。
【００２２】
このようにして、携帯端末１５においてその情報提供画面に現在地に最も近い観測地点の地図画像や模式図による地図画面や、地図以外の表やグラフ等を、初期表示として自動で表示することが可能となる。
【００２３】
一般に、目的の観測地点に関する情報を携帯端末１５に表示させるには、複数の操作工程を要する。例えば、ユーザは、メニュー画面から所望の情報の種類（雨量情報についての地図／表／グラフや水位情報についての地図／表／グラフ）を選択し、さらに地域を選択し、さらにその地域における観測地点を選択するなどの複数の操作を行う必要がある。しかし、ユーザが目的とする観測地点は、現在地近辺の観測地点であると考えられるので（最初は、現在いる地域の情報を閲覧することが多い）、上記のように携帯端末１５のＧＰＳ機能を用いて現在地に最も近い観測地点の情報を初期表示として表示させるようにした。これにより、必要な情報を閲覧するための操作数を減らすことが可能となり、河川・砂防情報システム１０における携帯端末１５を効率的に利用することができる。
【００２４】
続いて、携帯端末１５における情報提供画面の表示にかかる諸動作例について説明する。
【００２５】
（動作例２）
従来のＷｅｂベースの情報提供画面では、操作部１５３Ａは、表示・操作部１５３の左側または上側に固定的に表示され、データは、その右側または下側に表示されることが多い。また、ｉＰｈｏｎｅ（登録商標）アプリやＡｎｄｒｏｉｄ（登録商標）アプリの標準機能でアプリケーションを作成した場合、タブやサブメニュー等の操作部１５３Ａは、画面の上か下に表示される。スマートフォン等の携帯端末１５は、手に持った状態で操作することが多く、また片方の手が塞がっている場合もあり、片手で操作できることが望ましい。そこで、右手で携帯端末１５を持った場合は操作部１５３Ａが情報提供画面の右端側に、左手で携帯端末１５を持った場合は操作部１５３Ａが情報提供画面の左端側に表示されるようにすると、携帯端末１５を持った手の親指が届く範囲で操作が可能となり、使い易いものとなる。
【００２６】
本動作例では、図７に示すように、表示・操作部１５３の画面上の操作部１５３Ａをユーザが指にてドラッグし、このドラッグに応じて（すなわち、表示・操作部１５３のタッチパネルが検出したユーザの指が触れている位置に応じて）、操作部１５３Ａの表示位置を上下右左の何れかの位置に移動させる。つまり、操作部１５３Ａが、上方向にドラッグされた場合は上端に、下方向にドラッグされた場合は下端に、右方向にドラッグされた場合は右端に、左方向にドラッグされた場合は左端に、それぞれ操作部１５３Ａの表示位置を移動させる。その際、左右のいずれかにドラッグされた場合は縦長に、上下のいずれかにドラッグされた場合は横長に、さらに縦横の幅を、縦長／横長の表示に対応した既定のサイズとなるよう自動で調節するとともに、操作部１５３Ａ内のボタン等の配列を縦表示／横表示に応じて再配列する。この操作部１５３Ａの移動を実現するため、操作部１５３Ａとデータ表示エリア１５３Ｂは、別レイヤ（別ウィンドウ）として作成し、その表示の際、操作部１５３Ａの画像をデータ表示エリア１５３Ｂの画像に合成して表示させる。
【００２７】
（動作例３）
本動作例は、携帯端末１５のセンサ部１５６の加速度を検出する機能を利用し、操作部１５３Ａの表示／非表示を切り替える。具体的には、ユーザが携帯端末１５を振るなどして、センサ部１５６で、既定の値（レベル）以上の加速度を検出した場合に、操作部１５３Ａの表示／非表示を切り替える（図８）。また操作部１５３Ａが非表示となる場合は、データ表示エリア１５３Ｂを拡大するようにし、操作部１５３Ａが表示となる場合は、データ表示エリア１５３Ｂを既定のサイズにする。操作部１５３Ａが不要の場合など、このように携帯端末１５を振るといった行為をするだけで、操作部１５３Ａを操作することなく、操作部１５３Ａの表示／非表示を切り替えられ、また、操作部１５３Ａを非表示とする場合は、データ表示エリア１５３Ｂを大きく取ることができ、より多くの情報を一度に表示することが可能となり（なお、データ表示エリア１５３Ｂに表示対象の全情報を表示できない場合は、スクロールバー等により画面をスクロールさせることになる）、携帯端末１５の利便性がさらに向上する。
【００２８】
（動作例４）
本動作例は、携帯端末１５のセンサ部１５６で、携帯端末１５の傾きを検出する機能を利用し、データ表示エリア１５３Ｂの表示内容を切り替える。具体的には、データ表示エリア１５３Ｂに表示する内容が情報提供画面に対し複数頁分ある場合（あるいは表示する内容が情報提供画面の１頁内に表示できない場合）、例えば図９−１に示すように、ユーザが携帯端末１５を右（Ｘ方向）に傾けると、センサ部１５６がその傾きを検出し、この右方向への傾きの検出に応じて、制御部１５１が、データ表示エリア１５３Ｂの画像を右スクロールさせ次頁を表示するようにする。また、ユーザが携帯端末１５を左（−Ｘ方向）に傾けると、センサ部１５６がその傾きを検出し、この左方向への傾きの検出に応じて、制御部１５１が、データ表示エリア１５３Ｂの画像を左スクロールさせ前頁を表示するようにする。また、図９−２に示すように、ユーザが携帯端末１５を奥（Ｚ方向）に傾けると、センサ部１５６がその傾きを検出し、この傾きに応じて、データ表示エリア１５３Ｂの画像を１つ前の画面等に切り替えるようにする。このように携帯端末１５本体を傾けるだけで上記のような画面切り替えを行えるので、携帯端末１５の利便性がさらに向上する。
【００２９】
（動作例５）
データ表示エリア１５３Ｂに表示する内容によっては、携帯端末１５を縦にして表示した方が良い場合と、横にして表示した方が良い場合とがある。そこで、携帯端末１５のセンサ部１５６の携帯端末１５の傾きを検出する機能を利用して、ユーザが携帯端末１５を鉛直方向に対して縦向きにするか横向きにするかで、表示する画面を切り替える（図１０−１）。この機能は、表示するデータが同じであっても見せ方が異なる場合など（例えば縦長の表形式と横長のグラフ形式など）に使用する。
【００３０】
また、河川・砂防情報システム１０では、管轄する地域毎に地図画面（模式図等）が用意され、地域によっては、（北を上にした地図画面が）縦長になる場合と横長になる場合とがある。このような場合には、表示させる地域によって、ユーザが携帯端末１５を縦向き／横向きにすることで、表示画面を縦長／横長の画面に切り替えて表示する。また、携帯端末１５を縦向きまたは横向きにする際、携帯端末１５の傾き具合で（向きを変える途中で）、縦長の画面と横長の画面の２画面を透過して表示するようにしてもよい（図１０−２）。
【００３１】
なお、この本動作例では、携帯端末１５は、縦長表示のデータ（または横長表示のデータ）を取得する際、対応する横長表示のデータ（または縦長表示のデータ）も合せて取得するものとし、縦長表示のデータおよび横長表示のデータには、サーバ１６側で縦長表示および横長表示を識別する識別子を付加するものとする。携帯端末１５の制御部１５１は、この識別子を基に表示するデータを切り替えるものとする。また、本動作例は、前述の動作例４とは別の設定のもとで動作するものとする。
【００３２】
本動作例では、データを表示しているとき、携帯端末１５本体を縦向きにするか横向きにするかでデータの表示態様を切り替えられるので、携帯端末１５の利便性がさらに向上する。
【００３３】
以上説明したとおり、上記実施形態によれば、河川・砂防情報システム１０における、スマートフォンやタブレット端末等の携帯端末１５を使用した情報提供画面において、可能な限り片手での操作で、かつ、少ない操作回数で必要な情報を閲覧することができる。
【００３４】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。また、この実施形態やその変形は、発明の範囲や要旨に含まれるとともに、特許請求の範囲に記載された発明とその均等の範囲に含まれる。
【符号の説明】
【００３５】
１０  河川・砂防情報システム
１１  雨量計
１２  水位計
１３  データ収集装置
１４  通信ネットワーク
１５  携帯端末
１６  サーバ
１７  データセンタ
１８  ゲートウェイ
１９  携帯電話網
２０  基地局
１５１  制御部
１５２  記憶部
１５３  表示・操作部
１５４  無線通信部
１５５  音声入出力部
１５６  センサ部
１５７  ＧＰＳ部
【図１】
2014203126.tif 000003
【図２】
2014203126.tif 000004
【図３】
2014203126.tif 000005
【図４】
2014203126.tif 000006
【図５】
2014203126.tif 000007
【図６−１】
2014203126.tif 000008
【図６−２】
2014203126.tif 000009
【図７】
2014203126.tif 000010
【図８】
2014203126.tif 000011
【図９−１】
2014203126.tif 000012
【図９−２】
2014203126.tif 000013
【図１０−１】
2014203126.tif 000014
【図１０−２】
2014203126.tif 000015